(57)【要約】【課題】浄化活性能力に優れ、通水量を低下させず、設置スペース確保の懸念がなく、設置コストが廉価である浄化活性機能と、消火能力の高い消火水栓機能とを備えた装置を提供する。【解決手段】屋外等に設けられ、水Ｗを取り込む第一管路１と、第一管路１の任意箇所に連結された第二管路２と、第二管路２に一端部が連結され、内部に、濾過部７と活性部８を備える浄化槽６と、浄化槽６の他端部に連結され、浄化槽６からの浄化活水Ｗ１を送り出し、下流側端部が第一管路１に連結された第三管路３と、第三管路３の所定箇所に連結された第四管路４と、第四管路４に連結された耐火耐水ホース９と、それに連結された消火水栓１０と、第三管路３の所定箇所と下流側端部間に連結され、各蛇口Ｔに浄化活水Ｗ１を供給する第五管路５と、第一，第三管路１，３の下流側端部と第四管路４に設けられた止水バルブ１１ｂ，１１ｄ，１１ｅを備える。【選択図】図１
0003135419.tif 000002
【実用新案登録請求の範囲】
【請求項１】
一般家庭などの主として屋外に設けられ、水道水や井戸水などの水から不純物を除去して活性化する浄化活性機能と、火災消火用の消火水栓機能とを備えた装置であって、
前記水を取り込み、下流側端部に排出口を有する第一管路と、
前記第一管路の任意箇所に連結された第二管路と、
前記第二管路に一端部が連結され、前記第一管路からの水が供給され、内部に、前記水に含まれる不純物を濾過する濾過部、および、前記水を活性化する活性部を備える浄化槽と、
前記浄化槽の他端部に連結され、前記浄化槽で浄化活性化された浄化活水を送り出し、下流側端部が前記第一管路の任意箇所より上流側に連結された第三管路と、
前記第三管路の所定箇所に連結された第四管路と、
前記第四管路に連結された耐火耐水ホースと、
前記耐火耐水ホースに連結された消火水栓と、
前記第三管路の所定箇所と前記第三管路の下流側端部の間に連結され、１又は２以上の蛇口に対して前記浄化活水を供給する第五管路と、
前記第一管路の任意箇所と前記第一管路の下流側端部の間、前記第三管路に対する前記第五管路の連結位置と前記第三管路の下流側端部の間、および、第四管路に設けられた止水バルブと、を備えることを特徴とする浄化活性機能付き消火水栓装置。
【請求項２】
前記第一管路に対する前記第二管路の連結位置と前記第一管路に対する前記第三管路の連結位置の間にも、止水バルブを設けたことを特徴とする請求項１に記載の浄化活性機能付き消火水栓装置。
【請求項３】
前記第三管路に対する前記第四管路の連結位置と前記第三管路に対する前記第五管路の連結位置の間にも、止水バルブを設けたことを特徴とする請求項１又は２に記載の浄化活性機能付き消火水栓装置。
【請求項４】
一般家庭などの主として屋外に設けられ、水道水や井戸水などの水から不純物を除去して活性化する浄化活性機能と、火災消火用の消火水栓機能とを備えた装置であって、
前記水を取り込み、下流側端部に排出口を有する第一管路と、
前記第一管路の任意箇所に連結された第二管路と、
前記第二管路に一端部が連結され、前記第一管路からの水が供給され、内部に、前記水に含まれる不純物を濾過する濾過部、および、前記水を活性化する活性部を備える浄化槽と、
前記浄化槽の他端部に連結され、前記浄化槽で浄化活性化された浄化活水を送り出し、下流側端部が前記第一管路の任意箇所より上流側に連結された第三管路と、
前記第一管路に対する前記第二管路の連結位置と前記第一管路の下流側端部の間に連結された第四管路と、
前記第四管路に連結された耐火耐水ホースと、
前記耐火耐水ホースに連結された消火水栓と、
前記第三管路に連結され、１又は２以上の蛇口に対して前記浄化活水を供給する第五管路と、
前記第一管路に対する前記第四管路の連結位置と前記第一管路の下流側端部の間、前記第三管路に対する前記第五管路の連結位置と前記第三管路の下流側端部の間、および、第四管路に設けられた止水バルブと、を備えることを特徴とする浄化活性機能付き消火水栓装置。
【請求項５】
一般家庭などの主として屋外に設けられ、水道水や井戸水などの水から不純物を除去して活性化する浄化活性機能と、火災消火用の消火水栓機能とを備えた装置であって、
前記水を取り込み、下流側端部に排出口を有する第一管路と、
前記第一管路の任意箇所に連結された第二管路と、
前記第二管路に一端部が連結され、前記第一管路からの水が供給され、内部に、前記水に含まれる不純物を濾過する濾過部、および、前記水を活性化する活性部を備える浄化槽と、
前記浄化槽の他端部に連結され、前記浄化槽で浄化活性化された浄化活水を送り出し、下流側端部が前記第一管路の任意箇所より上流側に連結された第三管路と、
前記第二管路に連結された第四管路と、
前記第四管路に連結された耐火耐水ホースと、
前記耐火耐水ホースに連結された消火水栓と、
前記第三管路に連結され、１又は２以上の蛇口に対して前記浄化活水を供給する第五管路と、
前記第一管路の任意箇所と前記第一管路の下流側端部の間、前記第三管路に対する前記第五管路の連結位置と前記第三管路の下流側端部の間、および、第四管路に設けられた止水バルブと、を備えることを特徴とする浄化活性機能付き消火水栓装置。
【請求項６】
前記浄化槽に、ウォーターハンマー現象を防止するためのスプリング機構を設けたことを特徴とする請求項１乃至５のうちいずれか一つに記載の浄化活性機能付き消火水栓装置。
【請求項７】
前記第三管路を、曲線状のエルボー管をコーナー部に使用して、短尺部と長尺部とを有する略逆Ｌ字状に形成し、前記短尺部を前記第一管路に平行に配置し、前記長尺部を前記浄化槽に並列して配置したことを特徴とする請求項１乃至６のうちいずれか一つに記載の浄化活性機能付き消火水栓装置。
【考案の詳細な説明】
【技術分野】
【０００１】
本考案は、浄化活性機能付き消火水栓装置に関する。より詳細には、一般家庭などに設けられ、水道水や井戸水から塩素、錆、濁り、有機物などの不純物を除去して活性化する浄化活性機能と、消火水栓機能とを備えた装置に関するものである。
【背景技術】
【０００２】
従来、一般家庭などに設けられ、水道水や井戸水などの水を、それに含まれる塩素などの不純物を除去して浄化活性化する装置として、活性炭で濾過するものや、電気分解によって水分子を分解させるものなどが知られている（例えば、特許文献１および２参照）。
【特許文献１】特開平１１−３１９８１２号公報
【特許文献２】特開平１１−９０４５６号公報
【０００３】
一方、一般家庭などでは、通常、火災発生時における緊急消火活動をするために、小型の消火器を備えている。
【考案の開示】
【考案が解決しようとする課題】
【０００４】
しかしながら、上記従来技術に係る浄化活性装置は、個々の蛇口にそれぞれ取付けられるものであるため大型化できず、従って、おのずと浄化活性能力に限界がある。また、小型であるため蛇口の通水量を低下させてしまう。また、蛇口の周辺に設置スペースを確保することが困難である。さらに、個々の蛇口に取付けるものであるため、全ての蛇口に取付けるとコストが嵩み、非経済的であるといった問題がある。
【０００５】
また、一般家庭などに備えられている消火器は、限られた量の消火剤を噴射するのみであるため、充分な消火活動を行うことができないといった問題がある。従って、一般家庭などで日常的に使用する水道水や井戸水などを、消火活動に利用することができれば便利である。
【０００６】
そこで、本考案の目的とするところは、浄化活性能力に優れ、通水量を低下させず、設置スペース確保の懸念がなく、設置コストが廉価である浄化活性機能と、消火能力の高い消火水栓機能とを備えた装置を提供することを課題とする。
【課題を解決するための手段】
【０００７】
上記の目的を達成するために、本考案の請求項１に記載の浄化活性機能付き消火水栓装置は、一般家庭などの主として屋外に設けられ、水道水や井戸水などの水（Ｗ）から不純物を除去して活性化する浄化活性機能と、火災消火用の消火水栓機能とを備えた装置であって、
前記水（Ｗ）を取り込み、下流側端部に排出口（１ａ）を有する第一管路（１）と、前記第一管路（１）の任意箇所に連結された第二管路（２）と、前記第二管路（２）に一端部が連結され、前記第一管路（１）からの水（Ｗ）が供給され、内部に、前記水（Ｗ）に含まれる不純物を濾過する濾過部（７）、および、前記水（Ｗ）を活性化する活性部（８）を備える浄化槽（６）と、前記浄化槽（６）の他端部に連結され、前記浄化槽（６）で浄化活性化された浄化活水（Ｗ１）を送り出し、下流側端部が前記第一管路（１）の任意箇所より上流側に連結された第三管路（３）と、前記第三管路（３）の所定箇所に連結された第四管路（４）と、前記第四管路（４）に連結された耐火耐水ホース（９）と、前記耐火耐水ホース（９）に連結された消火水栓（１０）と、前記第三管路（３）の所定箇所と前記第三管路（３）の下流側端部の間に連結され、１又は２以上の蛇口（Ｔ）に対して前記浄化活水（Ｗ１）を供給する第五管路（５）と、前記第一管路（１）の任意箇所と前記第一管路（１）の下流側端部の間、前記第三管路（３）に対する前記第五管路（５）の連結位置と前記第三管路（３）の下流側端部の間、および、第四管路（４）に設けられた止水バルブ（１１：１１ｂと１１ｄと１１ｅ）と、を備えることを特徴とする。
【０００８】
また、請求項２に記載の考案は、前記第一管路（１）に対する前記第二管路（２）の連結位置と前記第一管路（１）に対する前記第三管路（３）の連結位置の間にも、止水バルブ（１１：１１ａ）を設けたことを特徴とする。
【０００９】
さらに、請求項３に記載の考案は、前記第三管路（３）に対する前記第四管路（４）の連結位置と前記第三管路（３）に対する前記第五管路（５）の連結位置の間にも、止水バルブ（１１：１１ｃ）を設けたことを特徴とする。
【００１０】
また、本考案の請求項４に記載の浄化活性機能付き消火水栓装置は、一般家庭などの主として屋外に設けられ、水道水や井戸水などの水（Ｗ）から不純物を除去して活性化する浄化活性機能と、火災消火用の消火水栓機能とを備えた装置であって、
前記水（Ｗ）を取り込み、下流側端部に排出口（１ａ）を有する第一管路（１）と、前記第一管路（１）の任意箇所に連結された第二管路（２）と、前記第二管路（２）に一端部が連結され、前記第一管路（１）からの水（Ｗ）が供給され、内部に、前記水（Ｗ）に含まれる不純物を濾過する濾過部（７）、および、前記水（Ｗ）を活性化する活性部（８）を備える浄化槽（６）と、前記浄化槽（６）の他端部に連結され、前記浄化槽（６）で浄化活性化された浄化活水（Ｗ１）を送り出し、下流側端部が前記第一管路（１）の任意箇所より上流側に連結された第三管路（３）と、前記第一管路（１）に対する前記第二管路（２）の連結位置と前記第一管路（１）の下流側端部の間に連結された第四管路（４）と、前記第四管路（４）に連結された耐火耐水ホース（９）と、前記耐火耐水ホース（９）に連結された消火水栓（１０）と、前記第三管路（３）に連結され、１又は２以上の蛇口（Ｔ）に対して前記浄化活水（Ｗ１）を供給する第五管路（５）と、前記第一管路（１）に対する前記第四管路（４）の連結位置と前記第一管路（１）の下流側端部の間、前記第三管路（３）に対する前記第五管路（５）の連結位置と前記第三管路（３）の下流側端部の間、および、第四管路（４）に設けられた止水バルブ（１１：１１ｂと１１ｄと１１ｅ）と、を備えることを特徴とする。
【００１１】
また、本考案の請求項５に記載の浄化活性機能付き消火水栓装置は、一般家庭などの主として屋外に設けられ、水道水や井戸水などの水（Ｗ）から不純物を除去して活性化する浄化活性機能と、火災消火用の消火水栓機能とを備えた装置であって、
前記水（Ｗ）を取り込み、下流側端部に排出口（１ａ）を有する第一管路（１）と、前記第一管路（１）の任意箇所に連結された第二管路（２）と、前記第二管路（２）に一端部が連結され、前記第一管路（１）からの水（Ｗ）が供給され、内部に、前記水（Ｗ）に含まれる不純物を濾過する濾過部（７）、および、前記水（Ｗ）を活性化する活性部（８）を備える浄化槽（６）と、前記浄化槽（６）の他端部に連結され、前記浄化槽（６）で浄化活性化された浄化活水（Ｗ１）を送り出し、下流側端部が前記第一管路（１）の任意箇所より上流側に連結された第三管路（３）と、前記第二管路（２）に連結された第四管路（４）と、前記第四管路（４）に連結された耐火耐水ホース（９）と、前記耐火耐水ホース（９）に連結された消火水栓（１０）と、前記第三管路（３）に連結され、１又は２以上の蛇口（Ｔ）に対して前記浄化活水（Ｗ１）を供給する第五管路（５）と、前記第一管路（１）の任意箇所と前記第一管路（１）の下流側端部の間、前記第三管路（３）に対する前記第五管路（５）の連結位置と前記第三管路（３）の下流側端部の間、および、第四管路（４）に設けられた止水バルブ（１１：１１ｂと１１ｄと１１ｅ）と、を備える。
【００１２】
また、請求項６に記載の考案は、前記浄化槽（６）に、ウォーターハンマー現象を防止するためのスプリング機構（１２）を設けたことを特徴とする。
【００１３】
また、請求項７に記載の考案は、前記第三管路（３）を、曲線状のエルボー管（Ｅ）をコーナー部に使用して、短尺部（３ａ）と長尺部（３ｂ）とを有する略逆Ｌ字状に形成し、前記短尺部（３ａ）を前記第一管路（１）に平行に配置し、前記長尺部（３ｂ）を前記浄化槽（６）に並列して配置したことを特徴とする。
【００１４】
なお、カッコ内の記号は、図面および後述する考案を実施するための最良の形態に記載された対応要素または対応事項を示す。
【考案の効果】
【００１５】
本考案の請求項１に記載の浄化活性機能付き消火水栓装置によれば、内部に、水に含まれる不純物を濾過する濾過部と、水を活性化する活性部を備える浄化槽を設けているので、水道水や井戸水などを浄化活性化した浄化活水を、一般家庭などの各蛇口に供給することができる。
また、この装置は、主として屋外に設けるので、浄化槽を、従来の蛇口に取付ける浄化活性装置と比較して大型化することができる。従って、浄化活性能力を高めることができると共に、水の抵抗を小さくすることができるので、通水量の低下を防ぐことができる。また、設置スペース確保の懸念がない。さらに、蛇口が複数の場合、各蛇口に設ける必要がないので設置コストを廉価に抑えることができる。
【００１６】
また、この装置は、耐火耐水ホースおよび消火水栓を設けているので、この消火水栓から放水することによって、火災を消火することができる。ここで使用される水は、特に水道水や井戸水の場合、豊富に供給することができるので、充分な消火活動を行うことができる。
さらに、止水バルブを、３個、すなわち、第一管路の任意箇所と第一管路の下流側端部の間と、第三管路に対する第五管路の連結位置と第三管路の下流側端部の間と、および、第四管路に設けているので、通常時に、これら３個の止水バルブを閉じておくことによって、水を第一管路および第二管路を通して浄化槽に送り、そこで浄化活性化した浄化活水を第三管路および第五管路を通して各蛇口に供給することができる。
【００１７】
また、火災発生時には、第三管路に対する第五管路の連結位置と第三管路の下流側端部の間に設けられた止水バルブおよび第四管路に設けられた止水バルブを開くとともに、第一管路の任意箇所と第一管路の下流側端部の間に設けられた止水バルブを閉じることによって、水を、第一管路から第三管路を介して第四管路に流し、そこから耐火耐水ホースを通して消火水栓に供給し、放水することができる。なお、この際、蛇口を閉じておくことにより、水が第五管路に流れるのを防止できる。
また、この装置は、浄化槽の内部に、濾過部と活性部を別個に設けているので、それぞれを別々に交換したり修理することができる。従って、メンテナンスが容易で、経済的である。
【００１８】
また、請求項２に記載の考案によれば、第一管路に対する第二管路の連結位置と第一管路に対する第三管路の連結位置の間にも、止水バルブを設けたので、火災発生時に、この止水バルブを閉じることによって、第一管路からの水を、第二管路、そして浄化槽側に送ることなく、第三管路を介して第四管路に流し、そこから耐火耐水ホースを通して消火水栓に供給し、放水することができる。
また、この止水バルブを閉じるとともに、第四管路に設けた止水バルブを閉じることにより、この装置内を水で洗浄することができる。すなわち、第一管路から水を供給し、第三管路、浄化槽、第二管路および第一管路の順で、その水を、通常とは逆方向に循環させ、第一管路の排出口から排出させることで、洗浄を行うことができる。
さらに、この止水バルブを半開状態とすることで、浄化活水と水道水とを混合させた水を第五管路を介して蛇口から出すこともできる。
【００１９】
さらに、請求項３に記載の考案によれば、第三管路に対する第四管路の連結位置と第三管路に対する第五管路の連結位置の間にも、止水バルブを設けたので、この止水バルブを閉じることによって、第一管路からの水のみを第五管路に直接供給することができる。
【００２０】
また、請求項４に記載の考案によれば、耐火耐水ホースを介して消化水栓が連結された第四管路を第一管路側に連結しても、あるいは、請求項５に記載の考案によれば、第四管路を第二管路に連結することによっても、請求項１に記載の考案と同様の作用効果が得られる。
【００２１】
また、請求項６に記載の考案によれば、浄化槽に、ウォーターハンマー現象を防止するためのスプリング機構を設けているので、蛇口の開閉などによって水激が生じた場合には、それを吸収することができる。
従って、水激による管路などの破損を未然に防止することができる。
【００２２】
さらに、請求項７に記載の考案によれば、第三管路を、エルボー管を使用して、短尺部と長尺部とを有する略逆Ｌ字状に形成し、短尺部を第一管路に平行に配置し、長尺部を浄化槽に並列に配置したので、全体をほぼ四角形状とし、コンパクト化を図ることができ、従って、設置スペースを削減することができる。
【考案を実施するための最良の形態】
【００２３】
図１を参照して、本考案の第一実施形態に係る浄化活性機能付き消火水栓装置について説明する。
【００２４】
この装置は、一般家庭の屋外に設けられ、水道水である水Ｗから不純物を除去して活性化する浄化活性機能と、火災消火用の消火水栓機能とを備えるものであり、第一管路１、第二管路２、浄化槽６、第三管路３、第四管路４、耐火耐水ホース９、消火水栓１０、および複数（ここでは５個）の止水バルブ１１を備える。
【００２５】
第一管路１は、直線状で、水道水である水Ｗを上側側端部（図１の右側）から取り込むもので、その下流側端部（図１の左側）に排出口１ａを有する。
第二管路２は、第一管路１の下流側の任意箇所に連結されている。
【００２６】
浄化槽６は、第二管路２にその一端部（下端部）が連結され、第一管路１からの水Ｗを第二管路２を介して受け入れる。浄化槽６の内部には、水Ｗに含まれる不純物を濾過する濾過部７、および、水Ｗを活性化する活性部８を備える。濾過部７と活性部８は、カートリッジ式に分割され、ここでは直列状に配置されている。なお、並列状に配置することもでき、その数も限定されない。
また浄化槽６は、本体部６ａと蓋部６ｂとで構成し、両者を締付バンドＢで固定している。締付バンドＢは、容易に取り外すことができるので、蓋部６ｂを開け易く、よって、本体部６ａから濾過部７および活性部８を容易に取り出すことができる。
濾過部７は、ばくはん石、珊瑚、ミクロフィルター、活性炭、亜硫酸カルシウムなどを充填して構成することができる。また、活性部８は、トルマリン、ゼオライト、磁石、マグネタイト、竹炭、ゲルマニウム、セラミックボールなどを使用して構成することができる。この濾過部７と活性部８は長期間使用するため、これらの物質が、水Ｗの浄化および活性化に効果的である。
【００２７】
第三管路３は、浄化槽６の他端部（上端部）に連結され、浄化槽６で浄化活性化された浄化活水Ｗ１を送り出すものであり、その下流側端部は、第一管路１の上流側に、すなわち、第一管路１に連結された第二管路２の位置よりも上流側に連結されている。
第四管路４は、第三管路３の所定箇所、ここでは第三管路３の中間部分に連結されている。また、耐火耐水ホース９は、第四管路４に連結され、消火水栓１０は、耐火耐水ホース９に連結されている。
さらに、第五管路５は、第三管路３に対する第四管路４の連結位置より第一管路１側に連結され、各蛇口Ｔに浄化活水Ｗ１を供給する。
【００２８】
なお、各管路は、三方継手Ｊ、ニップルＮおよびユニオンＵを適宜組み合わせて形成している。これらを組み合わせることによって、各部材の分解や組み立てを容易に行うことができ、メンテナンスや修理を容易なものとすることができる。
【００２９】
そして、第一バルブ１１ａ，第二バルブ１１ｂ，第三バルブ１１ｃ，第四バルブ１１ｄ及び第五バルブ１１ｅといった５個の止水バルブ１１を設けている。
第一バルブ１１ａは、第一管路１の上流側で、第一管路１に対する第二管路２と第三管路３の間に設けられている。
第二バルブ１１ｂは、第一管路１の下流側で、第一管路１に対する第二管路２の連結位置と第一管路１の下流側端部の間に設けられている。
第三バルブ１１ｃは、第三管路３の下流側で、第三管路３に対する第四管路４と第五管路５の間に設けられている。
第四バルブ１１ｄは、第三管路３の下流側で、第三管路３に対する第五管路５と第一管路１に対する第三管路３の連結位置の間に設けられている。
第五バルブ１１ｅは、第四管路４に設けられている。
【００３０】
また、この装置は、浄化槽６に、ウォーターハンマー現象を防止するためのスプリング機構１２を設けている。
【００３１】
さらに、第三管路３を、曲線状のエルボー管Ｅをコーナー部に使用して、短尺部３ａと長尺部３ｂとを有する略逆Ｌ字状に形成し、短尺部３ａを第一管路１に平行に配置し、長尺部３ｂを浄化槽６に並列して配置している。
【００３２】
この装置（耐火耐水ホース９および消火水栓１０を除く）は、その高さを約５５０ｍｍとし、幅を約３６０ｍｍとしている。なお、浄化槽６の外径は限定されないが、例えば、５０ｍｍ〜２００ｍｍとすることができる。
また、濾過部７および活性部８の外径も限定されないが、例えば、８ｍｍ〜１００ｍｍとすることができる。
【００３３】
本実施形態に係る浄化活性機能付き消火水栓装置は、次のように止水バルブ１１を開閉することによって水を供給する。
まず、通常時では、第一バルブ１１ａと第三バルブ１１ｃを開くとともに、第二バルブ１１ｂ、第四バルブ１１ｄ、および第五バルブ１１ｅを閉じる。これによって、水道水Ｗは第一管路１および第二管路２を通して浄化槽６に供給される。
浄化槽６に供給された水Ｗは、濾過部７によって不純物が浄化されると共に、活性部８によって活性化されて浄化活水Ｗ１となる。この浄化活水Ｗ１は、第三管路３および第五管路５を通過して、家庭の各蛇口Ｔに送られる。
【００３４】
また、火災発生時における緊急消火時には、第三バルブ１１ｃ、第四バルブ１１ｄ、および第五バルブ１１ｅを開くとともに、第一バルブ１１ａと第二バルブ１１ｂと閉じる。これによって、第一管路１から供給される水Ｗを、第三管路３および第四管路４を介して耐火耐水ホース９に直接送り、消火水栓１０から放出する。これによって火災を消火することができる。この際、各蛇口Ｔを閉じておくことによって、水Ｗが第五管路５に流れることを防止できる。なお、このとき、第三管路３に対する第四管路４と浄化槽６との間にさらに別の止水バルブを設け、この止水バルブを閉じることによって第一管路１から供給される水Ｗが浄化槽６側に供給されることを防止するようにしてもよい。
【００３５】
なお、この装置内を水Ｗで洗浄する場合には、第二バルブ１１ｂ、第三バルブ１１ｃ、および第四バルブ１１ｄを開くとともに、第一バルブ１１ａと第五バルブ１１ｅを閉じる。この状態で、第一管路１から水Ｗを供給し、第三管路３、浄化槽６、第二管路２および第一管路１の順で、その水Ｗを、通常とは逆方向に循環させ、第一管路１の排出口１ａから排出する。
【００３６】
また、第一バルブ１１ａを半開状態とし、第三バルブ１１ｃおよび第四バルブ１１ｄを開くとともに、第二バルブ１１ｂと第五バルブ１１ｅを閉じることによって、水道水Ｗの一部を、第一管路１から第三管路３を介して第五管路５に供給することができる。これによって、浄化活水Ｗ１と水道水Ｗとを混合させることもできる。
また、第一バルブ１１ａと第三バルブ１１ｃを閉じることによって、水道水Ｗのみを第五管路５に直接供給することも可能である。
【００３７】
このように、本実施形態に係る浄化活性機能付き消火水栓装置は、内部に、水Ｗに含まれる不純物を濾過する濾過部７と、水Ｗを活性化する活性部８を備える浄化槽６を設けているので、水道水や井戸水などの水Ｗを浄化活性化した浄化活水Ｗ１を、家庭の各蛇口Ｔに供給することができる。
【００３８】
また、この装置は、屋外に設けるので浄化槽６を大型化することができ、従って、浄化活性能力に優れると共に、通水量を低下させない。また、屋外に設けるので、充分な設置スペースを確保することができる。さらに、この装置は、各蛇口Ｔに設ける必要がないので設置コストが廉価である。
【００３９】
また、この装置は、耐火耐水ホース９および消火水栓１０を設けているので、第一管路１から供給される水Ｗを、火災発生時における緊急消火用に使用することができる。この水Ｗは水道水であるため豊富に供給することができ、従って、充分な消火活動を行うことができる。
【００４０】
さらに、五つの止水バルブ１１を必要箇所に設けているので、通常時および緊急時などに、所定の止水バルブ１１を開放し、残りの止水バルブ１１を閉じることによって、この装置の機能（水Ｗの浄化活性機能および消火機能）を効果的に発揮させることができる。
【００４１】
また、この装置は、浄化槽６に、ウォーターハンマー現象を防止するためのスプリング機構１２を設けているので、水激が生じた場合には、それを吸収することができる。従って、水激による管路などの破損を未然に防止することができる。
【００４２】
さらに、第三管路３を、エルボー管Ｅを使用して、短尺部３ａと長尺部３ｂとを有する略逆Ｌ字状に形成し、短尺部３ａを第一管路１に平行して配置し、長尺部３ｂを浄化槽６に並列して配置しているので、全体の構成をコンパクトにおさめることができる。従って、設置スペースを削減することができる。また、濾過部７と活性部８をカートリッジ式に分割しているので、交換やメンテナンスが容易であり、経済的である。
【００４３】
なお、本実施形態に係る装置は、水道水Ｗに含まれる塩素濃度を大幅に低減させることができると共に、０・１ミクロンまでの不純物を濾過する能力を有する。また、塩素濾過能力も、１０万リットルから５０万リットルまで水質に応じて浄化することが可能である。さらに、水道水圧０．３ＭＰｓ以上の高い水圧を利用することができ、１０ｍ〜３０ｍ以上の放水距離を持つ。従って、迅速な消火が可能である。
【００４４】
なお、本実施形態に係る装置は、水道水のみでなく、井戸水、受水槽、工業用水などの水垢や赤錆防止用として使用することもできる。
【００４５】
次に、図２を参照して、本考案の第二実施形態に係る浄化活性機能付き消火水栓装置について説明する。
【００４６】
この装置の特徴は、止水バルブ１１を、第二バルブ１１ｂ、第四バルブ１１ｄおよび第五バルブ１１ｅのみとしたことである。他の部分の構成は、第一実施形態に係る装置と同じである。
【００４７】
従って、通常時では、第二バルブ１１ｂ、第四バルブ１１ｄおよび第五バルブ１１ｅの全てを閉じた状態で第一管路１から水Ｗを供給し、浄化槽６で浄化活性化した浄化活水Ｗ１を、第五管路５を通して各蛇口Ｔに供給する。
また、火災発生時には、第二バルブ１１ｂを閉じた状態で、第四バルブ１１ｄと第五バルブ１１ｅを開いて、水Ｗを第一管路１、第三管路３および第四管路４を通して耐火耐水ホース９に供給し、消火水栓１０から放水する。
この装置も、第一実施形態と同様の作用効果を発揮する。また、この装置は、止水バルブ１１の数を削減しているので、製造コストを削減することができるといった効果を発揮する。
【００４８】
次に、図３を参照して、本考案の第三実施形態に係る浄化活性機能付き消火水栓装置について説明する。
【００４９】
この装置の特徴は、耐火耐水ホース９および消火水栓１０につながる第四管路４を、第一管路１の下流側で、第一管路１に対する第二管路２の連結位置と第二バルブ１１ｂの間に連結したことである。また、止水バルブ１１は、第二バルブ１１ｂ、第四バルブ１１ｄ、および第五バルブ１１ｅを第一実施形態および第二実施形態と同じ箇所に設け、それに加えて、第六バルブ１１ｆを第一管路１の中間部分（第一管路１に対する第二管路２と第四管路４との間）、第七バルブ１１ｇを第二管路２、そして、第八バルブ１１ｈを第三管路３の浄化槽６側にそれぞれ設けている。その他の部材の構成は、第一実施形態に係る装置と同じである。
【００５０】
この装置は、通常時では、第七バルブ１１ｇおよび第八バルブ１１ｈを開くとともに、第四バルブ１１ｄおよび第六バルブ１１ｆを閉じることによって、第一管路１からの水Ｗを浄化槽６で浄化活性化し、浄化活水Ｗ１を第五管路５から各蛇口Ｔに供給する。
また、消火時には、第五バルブ１１ｅおよび第六バルブ１１ｆを開くとともに、第二バルブ１１ｂ、第四バルブ１１ｄおよび第七バルブ１１ｇを閉じることによって、消火水栓１０から水Ｗを放出する。
この装置も、第一実施形態と同じ作用効果を発揮する。また、第四管路４を第一管路１に連結しているので、消火時に、水Ｗを、第一管路１から直接的に消火水栓１０に供給することができるといった利点がある。
【００５１】
なお、第六バルブ１１ｆ，第七バルブ１１ｇおよび第八バルブ１１ｈを特に設けないようにすることもできる。この場合、通常時には、第二バルブ１１ｂ，第四バルブ１１ｄおよび第五バルブ１１ｅを閉じることによって、浄化活水Ｗ１を第五管路５から各蛇口Ｔに供給し、消火時には、第五バルブ１１ｅを開くことによって（この場合、蛇口Ｔは閉じた状態とする）、消火水栓１０から水Ｗを放出することができる。
【００５２】
次に、図４を参照して、本考案の第四実施形態に係る浄化活性機能付き消火水栓装置について説明する。
【００５３】
この装置の特徴は、消火水栓１０につながる第四管路４を、第二管路２に連結したことである。また、止水バルブ１１は、第二バルブ１１ｂ、第四バルブ１１ｄ、および第五バルブ１１ｅを、第一実施形態乃至第三実施形態と同じ箇所に設け、第八バルブ１１ｈを第三実施形態に係る装置と同じ箇所に設けている。他の部材の構成は、第一実施形態と同じである。
【００５４】
従って、通常時では、第八バルブ１１ｈを開くとともに、第二バルブ１１ｂ、第四バルブ１１ｄ、および第五バルブ１１ｅを閉じることによって、水Ｗを第一管路１から供給し、浄化槽６で浄化活性化した浄化活水Ｗ１を第五管路５を介して複数の蛇口Ｔに供給する。
また、消火時には、第五バルブ１１ｅを開くとともに、第二バルブ１１ｂ、第四バルブ１１ｄ、および第八バルブ１１ｈを閉じることによって、消火水栓１０から水Ｗを放出する。
この装置も第一実施形態に係る装置と同じ作用効果を発揮する。また、第四管路４を第二管路２に連結しているので、消火時に、水Ｗを、第一管路１および第二管路２を通して、円滑に第四管路４に供給することができるといった特徴を備える。
【００５５】
なお、第八バルブ１１ｈを特に設けないようにすることもできる。この場合、通常時には、第二バルブ１１ｂ，第四バルブ１１ｄおよび第五バルブ１１ｅを閉じることによって、浄化活水Ｗ１を第五管路５から各蛇口Ｔに供給し、消火時には、第五バルブ１１ｅを開くことによって（この場合、蛇口Ｔは閉じた状態とする）、消火水栓１０から水Ｗを放出することができる。
【図面の簡単な説明】
【００５６】
【図１】本考案の第一実施形態に係る浄化活性機能付き消火水栓装置を示す概略構成図である。
【図２】本考案の第二実施形態に係る浄化活性機能付き消火水栓装置を示す概略構成図である。
【図３】本考案の第三実施形態に係る浄化活性機能付き消火水栓装置を示す概略構成図である。
【図４】本考案の第四実施形態に係る浄化活性機能付き消火水栓装置を示す概略構成図である。
【符号の説明】
【００５７】
１        第一管路
１ａ      排出口
２        第二管路
３        第三管路
３ａ      短尺部
３ｂ      長尺部
４        第四管路
５        第五管路
６        浄化槽
６ａ      本体部
６ｂ      蓋部
７        濾過部
８        活性部
９        耐火耐水ホース
１０        消火水栓
１１        止水バルブ
１１ａ      第一バルブ
１１ｂ      第二バルブ
１１ｃ      第三バルブ
１１ｄ      第四バルブ
１１ｅ      第五バルブ
１１ｆ      第六バルブ
１１ｇ      第七バルブ
１１ｈ      第八バルブ
１２        スプリング機構
Ｂ        締付バンド
Ｅ        エルボー管
Ｊ        三方継手
Ｎ        ニップル
Ｔ        蛇口
Ｕ        ユニオン
Ｗ        水
Ｗ１      浄化活水
【図１】
0003135419.tif 000003
【図２】
0003135419.tif 000004
【図３】
0003135419.tif 000005
【図４】
0003135419.tif 000006